(57)【要約】      （修正有）【課題】エンクロージャの高さをスピーカユニットの口径よりも小さくできるスピーカシステムを提供する。【解決手段】互いに反対方向に音を放射する少なくとも１組のスピーカユニット１をエンクロージャ２内に設ける。スピーカユニット１をエンクロージャ２の上面２１と下面２２に保持する。エンクロージャ２の下面２２の下方に第１の所定の空間Ｓ１を作るための脚３を備える。エンクロージャ２の上面２１は他の装置を載置するための載置面２１Ａを有し、１組のスピーカユニット１は、第１の所定の空間Ｓ１に向かって音を放射することによって音放射方向とは略直角な全周方向に音を放射する。スピーカユニット１はエンクロージャ２の上面２１の上方に音を放射する。【選択図】図１
2015128246.tif 000002
【特許請求の範囲】
【請求項１】
互いに反対方向に音を放射する少なくとも１組のスピーカユニットと、
前記スピーカユニットを上面と下面に保持するエンクロージャと、
前記エンクロージャの前記下面の下方に第１の所定の空間を作るためのスペーサと、を備え、
前記エンクロージャの前記上面には他の装置を載置するための載置面を有し、
前記１組のスピーカユニットは、
前記下面側から前記第１の所定の空間に向かって音を放射することによって音放射方向とは略直角な全周方向に音を放射するとともに、前記上面側から前記上面の上方に音を放射することを特徴とするスピーカシステム。
【請求項２】
前記エンクロージャの前記上面の上方に第２の所定の空間を作るための他の装置側スペーサを有する前記他の装置が前記載置面に載置された状態で、
前記１組のスピーカユニットは、
前記第２の所定の空間に向かって音を放射することによって音放射方向とは略直角な全周方向に音を放射することを特徴とする請求項１に記載のスピーカシステム。
【請求項３】
前記１組のスピーカユニットは２つのスピーカ装置から成り、
前記下面のスピーカ装置は前記第１の所定の空間に、前記上面のスピーカ装置は前記第２の所定の空間に、それぞれ音を放射することを特徴とする請求項２に記載のスピーカシステム。
【請求項４】
前記２つのスピーカ装置のうち前記下面のスピーカ装置の振動板は前記下面よりも内側に配置され、前記上面のスピーカ装置の振動板は前記上面より内側に配置されていることを特徴とする請求項３に記載のスピーカシステム。
【請求項５】
前記２つのスピーカ装置は、同軸に配置されていることを特徴とする請求項３または４に記載のスピーカシステム。
【請求項６】
前記２つのスピーカ装置は鉛直方向に音を放射することを特徴とする請求項３乃至５のいずれか一項に記載のスピーカシステム。
【請求項７】
前記エンクロージャは略直方体であり、
前記エンクロージャの高さは、幅よりも小さい、または、奥行きよりも小さい、または幅及び奥行きよりも小さい、ことを特徴とする請求項１乃至６のいずれか一項に記載のスピーカシステム。
【請求項８】
前記スペーサは前記エンクロージャの下面に複数備えられ、前記複数のスペーサの高さが等しいことを特徴とする請求項１乃至７のいずれか一項に記載のスピーカシステム。
【請求項９】
前記１組のスピーカユニットにより前記エンクロージャ内に放射される音を、前記上面及び下面とは異なる面から放射するポートを備えることを特徴とする請求項１乃至８のいずれか一項に記載のスピーカシステム。
【請求項１０】
前記ポートは、上面及び下面とは異なる前記面に取り付けられた開口部と略筒状の筒部とを備え、
前記筒部の長さは前記エンクロージャの高さよりも長いことを特徴とする請求項９に記載のスピーカシステム。
【請求項１１】
前記１組のスピーカユニットは、前記上面及び下面の中央より前記エンクロージャの前面寄りに配置され、前記ポートの前記開口部は前記エンクロージャの後面に備えられていることを特徴に請求項１０に記載のスピーカシステム。
【請求項１２】
前記載置面は、前記上面に載置される前記他の装置側スペーサの下面の面積よりも大きい面積を有する平面であることを特徴とする請求項１乃至１１のいずれか一項に記載のスピーカシステム。
【請求項１３】
前記スペーサが接する設置面は、このスピーカシステムのキャビネットの底面積より大きい面積を有する平面であることを特徴とする請求項１乃至１２のいずれか一項に記載のスピーカシステム。
【発明の詳細な説明】
【技術分野】
【０００１】
本発明は、スピーカシステムに関する。
【背景技術】
【０００２】
従来、スピーカシステムとして、例えば特開２００９−１３５８３７号公報（特許文献１）に開示されたものがある。このスピーカシステムは、２つのスピーカ装置（スピーカユニット）を背中合わせに設置することで、スピーカ装置の駆動時の振動を打ち消けして、エンクロージャの全体の揺れ等を防止するようにした、無反動型のスピーカシステムである。
【０００３】
この従来のスピーカシステムは、スピーカユニット（１）を固定する円筒形の固定具（２）によって、同一性能のスピーカユニット（１，１）を対称に配置して固定している。また、エンクロージャへの取り付けは、固定具（２）に放射状の取り付け金具を設けてエンクロージャに取り付けたり、固定具（２）に脚を設けて固定している。そして、スピーカユニット（１）は、その振動板がエンクロージャ（３）の前後方向に向くように配置し、エンクロージャ（３）の前後方向に音波を放射するように取り付けられている。これにより、直列あるいは並列に接続したスピーカユニット（１，１）に音響電気信号を送ると、スピーカユニット全体としてみた場合、２個のユニットの振動板は互いに反対方向に駆動され、フレームに作用する力は互いに打ち消されるので、フレームが振動することがなく、再生音は高忠実度が維持される。
【先行技術文献】
【特許文献】
【０００４】
【特許文献１】特開２００９−１３５８３７号公報
【発明の概要】
【発明が解決しようとする課題】
【０００５】
前記従来のスピーカシステムでは、スピーカユニットが固定具で相互に連結されるとともに、エンクロージャの前後方向に音波を放射するように取り付けられている。すなわち、スピーカユニットに対するバッフル板を、使用者側に向けて縦方向に配置するようにしている。このため、エンクロージャの高さを小さくできない。特に、この場合、エンクロージャの高さをスピーカユニットの口径（フレームを含む）よりも小さくすることができない。また、スピーカユニットはエンクロージャの前後方向に音波を放射するので、使用者は直接音を聞くものであり。それ以外の使用方法は想定されていない。
【０００６】
本発明が解決しようとする課題には、従来のスピーカユニットにおいては、エンクロージャの高さを小さくするには不利な構造となっているという問題が一例として挙げられる。
【課題を解決するための手段】
【０００７】
請求項１に記載のスピーカシステムは、互いに反対方向に音を放射する少なくとも１組のスピーカユニットと、前記スピーカユニットを上面と下面に保持するエンクロージャと、前記エンクロージャの前記下面の下方に第１の所定の空間を作るためのスペーサと、を備え、前記エンクロージャの前記上面には他の装置を載置するための載置面を有し、前記１組のスピーカユニットは、前記第１の所定の空間に向かって音を放射することによって音放射方向とは略直角な全周方向に音を放射するとともに、前記上面の上方に音を放射することを特徴とする。
【図面の簡単な説明】
【０００８】
【図１】本発明の第１実施例のスピーカシステムを示す図である。
【図２】本発明の第２実施例のスピーカシステムを示す図である。
【図３】本発明の第３実施例のスピーカシステムを示す図である。
【図４】本発明の第４実施例のスピーカシステムを示す図である。
【図５】本発明の第５実施例のスピーカシステムを示す図である。
【図６】本発明の第６実施例のスピーカシステムを示す図である。
【図７】本発明の第７実施例のスピーカシステムを示す図である。
【図８】本発明の実施例のスピーカシステムの使用例を示す図である。
【発明を実施するための形態】
【０００９】
以下、本発明の一実施形態を説明する。本発明の一実施形態に係るスピーカシステムは、互いに反対方向に音を放射する少なくとも１組のスピーカユニットと、前記スピーカユニットを上面と下面に保持するエンクロージャと、前記エンクロージャの前記下面の下方に第１の所定の空間を作るためのスペーサと、を備え、前記エンクロージャの前記上面には他の装置を載置するための載置面を有し、前記１組のスピーカユニットは、前記下面側から前記第１の所定の空間に向かって音を放射することによって音放射方向とは略直角な全周方向に音を放射するとともに、前記上面側から前記上面の上方に音を放射するスピーカシステムである。スピーカユニットの音放射方向を上下方向とする構造となっているので、エンクロージャの高さを十分に低くできる。さらに、エンクロージャの高さよりも口径の大きなスピーカユニットを搭載できる。スペーサによって、下側に第１の所定の空間が作られるとともに、この第１の所定の空間から３６０度の方向を全周方向にわたって音が放射させることができる。載置面を有するので他の装置を載置するなどユニットはスピーカシステムの配置の仕方に応じて、好みの音場を選択することができる。
【００１０】
また、前記エンクロージャの前記上面の上方に第２の所定の空間を作るための他の装置側スペーサを有する前記他の装置が前記載置面に載置された状態で、前記１組のスピーカユニットは、前記第２の所定の空間に向かって音を放射することによって音放射方向とは略直角な全周方向に音を放射するスピーカシステムである。
【００１１】
また、前記１組のスピーカユニットは２つのスピーカ装置から成り、一方のスピーカ装置は前記第１の所定の空間に、他方のスピーカ装置は前記第２の所定の空間に、それぞれ音を放射するスピーカシステムである。
【００１２】
また、前記２つのスピーカ装置のうち前記下面のスピーカ装置の振動板は前記下面よりも内側に配置され、前記上面のスピーカ装置の振動板は前記上面より内側に配置されているスピーカシステムである。
【００１３】
また、前記２つのスピーカ装置は、同軸に配置されているスピーカシステムである。
【００１４】
また、前記２つのスピーカ装置は鉛直方向に音を放射するスピーカシステムである。
【００１５】
また、前記エンクロージャは略直方体であり、前記エンクロージャの高さは、幅よりも小さい、または、奥行きよりも小さい、または幅及び奥行きよりも小さい、スピーカシステムである。
【００１６】
また、前記スペーサは前記エンクロージャの下面に複数備えられ、前記複数のスペーサの高さが等しいスピーカシステムである。
【００１７】
また、前記１組のスピーカユニットにより前記エンクロージャ内に放射される音を、前記上面及び下面とは異なる面から放射するポートを備えるスピーカシステムである。
【００１８】
また、前記ポートは、上面及び下面とは異なる前記面に取り付けられた開口部と略筒状の筒部とを備え、前記筒部の長さは前記エンクロージャの高さよりも長いスピーカシステムである。
【００１９】
また、前記１組のスピーカユニットは、前記上面及び下面の中央より前記エンクロージャの前面寄りに配置され、前記ポートの前記開口部は前記エンクロージャの後面に備えられているスピーカシステムである。
【００２０】
また、前記載置面は、前記上面に載置される他の装置側スペーサの下面の面積よりも大い面積を有する平面であるスピーカシステムである。
【００２１】
また、前記スペーサが接する設置面は、このスピーカシステムのキャビネットの底面積より大きい面積を有する平面であるスピーカシステムである。
【実施例】
【００２２】
次に本発明の第１乃至第８実施例を、図１乃至図８に基づいて説明する。各実施例のスピーカシステム１０はサブウーハーであって、約２０００Ｈｚ以下の再生帯域を有している。しかし、本発明は、他の再生帯域を有するスピーカシステムにも適用できる。なお、以下の各実施例において、同様な要素には同符号を付記してある。
【００２３】
（第１実施例）本発明の第１実施例のスピーカシステム１０は図１に示す構造である。図１(A) は上面図、図１(B) はエンクロージャを断面とした正面図、図１(C) は側面図である。このスピーカシステム１０は、上側のスピーカ装置１１と下側のスピーカ装置１２とからなる一組のスピーカユニット１を備えている。また、スピーカユニット１を保持する略直方体のエンクロージャ２を備えている。なお、エンクロージャ２の上面２１と下面２２は水平なバッフル板を構成している。また、エンクロージャ２の高さは、幅よりも小さく、かつ、奥行きよりも小さくなっている。さらに、エンクロージャ２は上面２１と下面２２を有し、下面２２の表面（外側）には「スペーサ」としての脚３を備えている。この実施例で脚３は４つ設けられており、この４つの脚３の高さは等しくなっている。
【００２４】
エンクロージャ２や略直方体であり、図１(A) におけるエンクロージャ２の左右方向の長さが「幅」であり、上下方向の長さが「奥行き」であり、図１(B) におけるエンクロージャ２の上下方向の長さが「高さ」である。
【００２５】
エンクロージャ２の上面２１には放音孔２１ａが形成され、下面２２には放音孔２２ａが形成されている。上側のスピーカ装置１１は、エンクロージャ２の内側において図示しないフレームにより放音孔２１ａの位置に固定され、下側のスピーカ装置１２は、エンクロージャ２の内側において図示しないフレームにより放音孔２２ａの位置に固定されている。すなわち、エンクロージャ２は、その内部においてスピーカユニット１を上面２１と下面２２に保持している。
【００２６】
スピーカ装置１１とスピーカ装置１２は同型、同一性能のものであり、スピーカ装置１１とスピーカ装置１２は、振動板１１ａ，１２ａを備えるとともに、振動板１１ａ，１２ａをそれぞれ駆動する駆動部１１ｂ，１２ｂを備えている。そして、上側のスピーカ装置１１の振動板１１ａは駆動部１１ｂにより駆動されて振動し、エンクロージャ２の上方に音を放射する。また、下側のスピーカ装置１２の振動板１２ａは駆動部１２ｂにより駆動されて振動し、エンクロージャ２の下方に音を放射する。すなわち、スピーカ装置１１，１２は、互いに反対方向に音を放射する少なくとも１組のスピーカユニット１を構成している。
【００２７】
当該スピーカシステム１０は、床、テーブル、キャビネット、他の機機等の上面等の設置面Ｆに設置される。設置面Ｆはこのスピーカシステムのキャビネットの底面積より大きい面積を有し、好ましくは水平である。また、設置面は、金属や木材、ガラス、樹脂等、音を反射する素材であることが好ましい。脚３は円柱形状の部材で、下面２２の四隅に隣接した位置に設けられている。そして、脚３は、スピーカシステム１０を設置面Ｆに設置したとき設置面Ｆに当接し、この脚３は設置面Ｆとエンクロージャ２の下面２２との間（下面２２の下方）に第１の所定の空間Ｓ１を作る。
【００２８】
エンクロージャ２の上面２１は、その表面に図１(A) に一点鎖線で囲った載置面２１Ａを有している。この載置面２１Ａは他の装置を載置するためのものであり、当該スピーカシステム１０に他の装置を載置するとき、その装置の脚（スペーサ）がこの載置面２１Ａに当接する。
【００２９】
以上の構成により、上側のスピーカ装置１１の駆動部１１ｂと、下側のスピーカ装置１２の駆動部１２ｂとに同じ音響信号が供給される。そして、それぞれの振動板１１ａ，１２ａが逆方向に振動する。これにより、エンクロージャ２の全体にスピーカ装置の振動による反動等が生じず、スピーカ装置１１，１２は音響信号に応じた音を放射する。
【００３０】
上側のスピーカ装置１１は、振動板１１ａから放音孔２１ａを介してエンクロージャ２の上面２１の上方に音を放射する。一方、下側のスピーカ装置１２は、まず振動板１２ａから放音孔２２ａを介して第１の所定の空間Ｓ１に向かって音を放射し、これによって、第１の所定の空間Ｓ１を介して、上記振動板１２ａからの音放射方向とは略直角な全周方向に音を放射する。この「音放射方向とは略直角な全周方向」は、図１(A) に点線の矢印で示すように、スピーカ装置１２を中心にした３６０度の各方向のことである。なお、脚３の箇所は音が反射するが、この脚３の径は小さいので、この略３６０度の方向を全周方向とする。
【００３１】
このように、同一性能のスピーカ装置１１，１２をエンクロージャ２の上面２１と下面２２に配置しているので、図１(B) ，(C) に示すように、エンクロージャ２の高さをスピーカユニット１の口径(フレームを含む)よりも小さくできる。すなわち、バッフル板として機能する上面２１と下面２２が水平になるように、スピーカユニット１の音放射方向を上下方向とする構造（スピーカ装置１１，１２を上面２１と下面２２に配置する構造）となっているので、エンクロージャ２の高さを十分に低くできる。さらに、エンクロージャ２の高さよりも口径の大きなスピーカユニットを搭載できる。
【００３２】
（第２実施例）本発明の第２実施例のスピーカシステム１０は図２に示す構造である。図２(A) は上面図、図２(B) はエンクロージャを断面とした正面図、図２(C) は側面図である。なお、以下の各実施例で、第１実施例と同様な要素及び対応する要素には同符号を付記して、詳細な説明は省略する。
【００３３】
この第２実施例のスピーカシステム１０は、第１実施例と同様に、上側のスピーカ装置１１と下側のスピーカ装置１２とからなる一組のスピーカユニット１をエンクロージャ２で保持している。この第２実施例では、スピーカユニット１は、エンクロージャ２の中心から僅かに左側に偏った位置で、さらに前面板２３側に偏って位置に設置されている。そして、エンクロージャ２内にポート４を備えている。
【００３４】
ポート４は、エンクロージャ２の上面２１及び下面２２とは異なる面である背面板（後面）２４に取り付けられた開口部４ａと、この開口部４ａからエンクロージャ２の内側に延びる円筒状（略筒状）の筒部４ｂとを備えている。すなわち、ポート４は、筒部４ｂの軸を水平方向に向けて配置されている。そして、ポート４は、スピーカユニット１の振動板１１ａ，１２ａの背面の音をエンクロージャ２の後方に放音する役割をする。なお、ポート４はエンクロージャ２の前面あるいは側面に放音するように設けてもよい。このように、スピーカユニット１を偏った位置に設置することで、ポート４を設けるなど、設計自由度が増す。
【００３５】
また、この第２実施例のエンクロージャ２は、上面２１の放音孔２１ａから内側に延設されたリング状のリム部２１ｂと、下面２２の放音孔２２ａから内側に延設されたリング状のリム部２２ｂとを有している。そして、上側のスピーカ装置１１は、エンクロージャ２の内側において図示しないフレームによりリム部２１ｂに固定され、下側のスピーカ装置１２は、エンクロージャ２の内側において図示しないフレームによりリム部２２ｂに固定されている。
【００３６】
これにより、上側のスピーカ装置１１の振動板１１ａは、エンクロージャ２の上面２１よりも内側（上面２１の下側）に配置され、下側のスピーカ装置１２の振動板１２ａは、エンクロージャ２の下面２２よりも内側（下面２２の上側）に配置されている。このように、振動板１１ａ，１２ａを上面２１及び下面２２よりも内側に設けることで、振動板１１ａ，１２ａの前面の空間が広くなり、振動板１１ａ，１２ａの振幅より大きな振幅が得られる。
【００３７】
ここで、仮に、スピーカユニット１が音を放射する上面２１と下面２２（バッフル板）にポートを設けると、バッフル板に凹凸があるのと同様であり、不要な音の回折が起こり、音の歪みの原因になる。また、ポートからの音とスピーカユニット１からの音が干渉しやすく、やはり音の歪みの原因になる。しかし、この実施例では、ポート４がスピーカユニット１の音放射方向（上下方向）と別な背面板２４に設けられているので、音の歪を回避することができる。
【００３８】
また、本発明ではエンクロージャ２の高さを小さくしているので、ポート４を、スピーカユニット１の音放射方向（上下方向）と別な背面板２４に設けることで、ポート４の筒部４ｂの長さを十分確保することできる。したがって、必要とされる低音域の再生に効果的である。なお、ポート４は前面板や側面板に設けるようにしてもよい。
【００３９】
（第３実施例）本発明の第３実施例のスピーカシステム１０は図３に示す構造である。図３(A) は上面図、図３(B) はエンクロージャを断面とした正面図である。なお、以下の実施例では側面図を省略する。第１、第２実施例では、スピーカユニット１の上側のスピーカ装置１１と下側のスピーカ装置１２は同軸になっているが、この第３実施例のスピーカユニット１は、上側のスピーカ装置１１と下側のスピーカ装置１２は同軸になっていない。ただし、上面視において、スピーカ装置１１とスピーカ装置１２は一部重なっている。このように一部重なる程度の軸のずれがあっても、エンクロージャ２の全体の揺れ等を防止できる。また、スピーカ装置１１，１２の位置がある程度自由になるので、設計の自由度が増す。
【００４０】
（第４実施例）本発明の第４実施例のスピーカシステム１０は図４に示す構造である。図４(A) は上面図、図４(B) はエンクロージャを断面とした正面図である。この第４実施例のスピーカシステム１０は、エンクロージャ２で保持されるスピーカユニット１を、駆動部１１ｂ，１２ｂの背面が接続されたスピーカ装置１１，１２で構成したものである。これにより、スピーカユニット１の高さを小さくできる分、大きな口径のスピーカユニットを採用できる。
【００４１】
（第５実施例）本発明の第５実施例のスピーカシステム１０は図５に示す構造である。図５(A) は上面図、図５(B) はエンクロージャを断面とした正面図である。この第５実施例のスピーカシステム１０は、スピーカユニット１として、国際公開番号ＷＯ２０１０／１０６６８６の図１２、図１３にに記載されているような薄型スピーカを採用した例である。なお、この薄型スピーカは、上側に配置された振動板１３と下側に配置された振動板１４を備えるとともに、この上下の振動板１３，１４を駆動する駆動部１５を振動板１３，１４の間に備えている。この駆動部１５は水平方向に動くボイスコイル等を配置しており、このボイスコイルの水平方向への振動きをリンク機構等によって振動板１３，１４の垂直方向の動きに変換させて発音するものである。図５では上方から見て円形の振動板が採用されているが、略長方形の振動板でもよい。
【００４２】
エンクロージャ２の上面２１，下面２２には、放音孔２１ａ，２２ａが形成されている。そして、上側の振動板１３は、エンクロージャ２の内側において図示しないフレームにより放音孔２１ａの位置に固定され、下側の振動板１４は、エンクロージャ２の内側において図示しないフレームにより放音孔２２ａの位置に固定されている。すなわち、エンクロージャ２は、その内部においてスピーカユニット１を上面２１と下面２２に保持している。また、スピーカユニット１の振動板１３，１４は逆方向に振動し、互いに反対方向（上下方向）に音を放射する。
【００４３】
この第４実施例のように、スピーカユニット１を薄型スピーカで構成すると、エンクロージャ２の高さをさらに小さくできる。
【００４４】
（第６実施例）本発明の第６実施例のスピーカシステム１０は図５に示す構造である。図６(A) は上面図、図６(B) はエンクロージャを断面とした正面図である。この第６実施例のスピーカシステム１０は、エンクロージャ２で保持される２組のスピーカユニット１，１を備えた例である。このスピーカユニット１，１は、比較的口径の小さなスピーカ装置１１，１２で構成したものであり、複数（２組）設けることで、振動板１１ａ，１２ａの面積このように複数のスピーカユニットを用いることにより、個々の駆動部１１ｂ，１２ｂの背面が小さくでも、十分に音量が得られる。また、スピーカ装置１１，１２は口径が小さい分、厚みも小さくできるので、結果として、エンクロージャ２の高さを小さくできる。
【００４５】
（第７実施例）本発明の第７実施例のスピーカシステム１０は図７に示す構造である。図７(A) は上面図、図７(B) はエンクロージャを断面とした正面図である。この第７実施例のスピーカユニット１は、上側のスピーカ装置１１と下側のスピーカ装置１２は同軸になっていない。さらに、前記実施例ではスピーカ装置１１，１２の音放射方向（軸）は鉛直方向であるが、この第７実施例のスピーカ装置１１，１２の音放射方向は鉛直ｋ方向から多少傾いている。このような傾斜しものでも、エンクロージャ２のスピーカ装置の振動による反動等を防止できる。
【００４６】
図８は実施例のスピーカシステム１０の使用例を示す図である。実施例のスピーカシステム１０は、無反動なので、例えばアンプ２０やプレーヤー３０等の他の機器をこのスピーカシステムの上下に設置することができる。例えば、図８(A) は、スピーカシステム１０を設置面Ｆに設置し、スピーカシステム１０の上面２１の上にアンプ２０を乗せた場合である。この場合、前述のよぅに、脚３によって設置面Ｆとエンクロージャ２の下面２２との間に第１の所定の空間Ｓ１が作られる。また、アンプ２０の脚２０ａ（他の装置側スペーサ）によって、エンクロージャ２の上面２１とアンプ２０の下面２０ｂとの間に第２の所定の空間Ｓ２が作られる。なお、アンプ２０の脚２０ａは前記載置面２１Ａに載せられる。
【００４７】
また、図８(B) は、アンプ２０の上面２０ｃの上にスピーカシステム１０を乗せ、さらに、スピーカシステム１０の上面２１の上にプレーヤー３０を乗せた場合である。この場合、脚３によって、アンプの上面２０ｃとエンクロージャ２の下面２２との間に第１の所定の空間Ｓ１が作られる。また、プレーヤー３０の脚３０ａ（他の装置側スペーサ）によって、エンクロージャ２の上面２１とプレーヤー３０の下面３０ｂとの間に第２の所定の空間Ｓ２が作られる。
【００４８】
なお、エンクロージャ２の上面２１の載置面２１Ａは、物側スペーサである脚２０ａ，３０ａの下面の面積よりも大きくかつ平面となっている。これにより、アンプ２０、プレーヤー３０等の他の装置を安定して載置することができる。
【００４９】
さらに、図８(C) は、アンプ２０の上面２０ｃの上にスピーカシステム１０を乗せた場合である。この場合、前記同様に脚３によって、アンプの上面２０ｃとエンクロージャ２の下面２２との間に第１の所定の空間Ｓ１が作られる。なお、このスピーカシステムの上または下に設置する対象は他の機器に限らず、たとえばスペーサを有する家具や板、箱等、その他のものでもよい。また、このスピーカシステムの上または下に設置する対象は、金属や木材、ガラス、樹脂等、音を反射する素材であればよい。
【００５０】
図８(A) と図８(B) の場合には、スピーカシステム１０の下に第１の所定の空間Ｓ１が作られるとともに、スピーカシステム１０の上に第２の所定の空間Ｓ２が作られる。したがって、上下のスピーカ装置１１，１２のそれぞれから、前述のよぅに３６０度の方向を全周方向にわたって音が放射される。図８(C) の場合には、スピーカシステム１０の下に第１の所定の空間Ｓ１のみが作られるので、下側のスピーカ装置１２のみから３６０度の方向を全周方向にわたって音が放射される。したがって、ユーザーはスピーカシステム１０の配置の仕方に応じて、好みの音場を選択することができる。
【００５１】
また、従来技術のスピーカーシステムではユーザーは直接音を聞く構成となっている。これに対して、この前記各実施例では、下側のスピーカ装置１２により３６０度にわたって音を放射するのでユーザーは間接音を聞くことになる。特に低音域の場合、間接音の方が自然な音場、広がり感のある音場を得ることができる場合がある。
【００５２】
さらに、実施例のスピーカシステム１０の上部を開放した場合（他の装置を乗せない場合）は、前記のように下側の第１の所定の空間Ｓ１のみから３６０度にわたって音を放射させることができる。また、スピーカシステム１０の上部（上面２１）に他の装置を載置した場合は下側の第１の所定の空間Ｓ１と上側の第２の所定の空間Ｓ２から３６０度にわたって音を放射できる。したがって、ユーザーは好みの音場を選択することができる。
【００５３】
なお、以上の実施例では特に図示していないが、エンクロージャ２内には吸音材が適宜充填されている。
【００５４】
以上の各実施例で、エンクロージャ２は略直方体の形状の場合を例にして説明したが、上面２１に載置面２１Ａを有するものであれば、上面２１と下面２２の形状は実施例に限定されるものではない。
【００５５】
また、各実施例では、エンクロージャ２の高さがスピーカユニット１の口径（フレームを含む）よりも小さい（あるいは同程度である）例について説明したが、スピーカユニット１の口径のほうがエンクロージャ２の高さよりも多少は小さくてもよい。
【００５６】
また、各実施例では、スペーサとしての脚３が４つの場合について説明したが、３つあるいは５つ以上であってもよい。各実施例における載置面も４箇所に限らず、それ以上でも以下でもよい。
【００５７】
また、ポートについては、第２実施例を例に説明したが、第１実施例、第３乃至第７実施例のスピーカシステム１０に第２実施例と同様なポート４を設けるようにしてもよい。
【００５８】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。上述の各図で示した実施例は、その目的及び構成等に特に矛盾や問題がない限り、互いの記載内容を組み合わせることが可能である。また、各図の記載内容はそれぞれ独立した実施形態になり得るものであり、本発明の実施形態は各図を組み合わせた一つの実施形態に限定されるものではない。
【符号の説明】
【００５９】
１      スピーカユニット
１１    上側のスピーカ装置
１１ａ  振動板
１１ｂ  駆動部
１２    下側のスピーカ装置
１２ａ  振動番
１２ｂ  駆動部
１３    上側の振動板
１４    下側の振動板
１５    駆動部
２      エンクロージャ
２１    上面
２１ａ  放音孔
２１ｂ  リム部
２１Ａ  載置面
２２    下面
２２ａ  放音孔
２２ｂ  リム部
３      脚（スペーサ）
４      ポート
４ａ    開口部
４ｂ    筒部４
Ｓ１    第１の所定の空間
Ｓ２    第２の所定の空間
【図１】
2015128246.tif 000003
【図２】
2015128246.tif 000004
【図３】
2015128246.tif 000005
【図４】
2015128246.tif 000006
【図５】
2015128246.tif 000007
【図６】
2015128246.tif 000008
【図７】
2015128246.tif 000009
【図８】
2015128246.tif 000010